(57)【特許請求の範囲】
【請求項１】
本体と、
前記本体の上部に配置されて被加熱調理容器が載置されるトッププレートと、
を備え、
前記本体は、前記本体の前側かつ前記トッププレートの下方であって後方に後退した位置にて外郭を構成する縦壁を有し、
前記縦壁には、前記縦壁に形成されたスリットによって前記縦壁の一部を折り曲げ可能な舌片部が設けられた加熱調理器。
【請求項２】
前記舌片部を折り曲げることで前記縦壁に形成される開口は、前記本体の前側をキッチンキャビネットのカウンタートップに固定する固定装置を、前記縦壁の後方に突出するように取り付けるためのものである請求項１に記載の加熱調理器。
【請求項３】
前記固定装置は、垂直片および前記垂直片の下端部を直角に曲げた水平片を含む固定金具と、前記固定金具を回動自在にするための軸受け部と、中央部に貫通孔が設けられた本体部および前記本体部の両側に設けられた腕部を含み前記固定金具の背面側に配置されて前記腕部が前記垂直片の両側に位置する押圧金具と、前記固定金具の前記垂直片の間から前記押圧金具の貫通孔に挿入されて前記軸受け部のネジ孔部に螺合されて前記押圧金具を前記固定金具の前記垂直片の背面に当接させると共に前記押圧金具の移動を規制する操作ネジと、を有する請求項２に記載の加熱調理器。
【請求項４】
前記舌片部の後方には、前記本体の前方から前記舌片部を前記縦壁の後方に折り曲げる部材の設定以上の進入を防止するカバーが設けられた請求項１〜３のいずれか１項に記載の加熱調理器。
【請求項５】
前記舌片部は、折り曲げ領域の中心から外側に折り曲げ可能に複数設けられ、
複数の前記舌片部における折り曲げ領域の中心には、前記本体の前側から前記舌片部を前記縦壁の後方に折り曲げる部材の押圧部を位置決めする位置決め部が形成された請求項１〜４のいずれか１項に記載の加熱調理器。
【発明の詳細な説明】
【技術分野】
【０００１】
本発明は、流し台などに固定装置を用いて固定可能に組み込まれる加熱調理器に関する。
【背景技術】
【０００２】
従来、特許文献１に開示された流し台などへの固定装置を備えた加熱調理器が知られている。特許文献１の加熱調理器では、本体の前側に固定装置を設けている。固定装置は、加熱調理器を流し台などのカウンタートップに固定する。
【０００３】
具体的には、作業者が固定装置の操作ネジを緩める方向に回転させて加熱調理器の前側に引き出すと、ナットが押圧金具を押圧し、固定金具の背面を押す。さらに作業者が操作ネジを緩めると、固定金具は、回動軸を中心に回動し、先端部が上方に移動する。移動した固定金具の先端部は、流し台などのカウンタートップに接触し、加熱調理器を固定する。
【先行技術文献】
【特許文献】
【０００４】
【特許文献１】特許第４３０２５９８号公報
【発明の概要】
【発明が解決しようとする課題】
【０００５】
近年では、加熱調理器の高性能化に伴い、製品重量が増加している。製品重量が増加すると、カウンタートップと加熱調理器のトッププレートの下面に設けられた止水用パッキンとの摩擦が増加し、設置された加熱調理器が動き難くなる。このため、加熱調理器は、従来のような固定装置を用いて固定しなくても動くことが稀である。よって、製品重量がある機種の加熱調理器には、固定装置を搭載しない場合がある。
【０００６】
しかしながら、カウンタートップの表面状況、あるいは、ユーザの使用状況などにより、加熱調理器が稀に動くため、ユーザが望む場合など必要に応じて固定装置を取り付けられることが望まれた。
【０００７】
本発明は、上記課題を解決するためのものであり、必要に応じて固定装置を後から付け足すことが可能な加熱調理器を得ることを目的とする。
【課題を解決するための手段】
【０００８】
本発明の加熱調理器は、本体と、前記本体の上部に配置されて被加熱調理容器が載置されるトッププレートと、を備え、前記本体は、前記本体の前側かつ前記トッププレートの下方であって後方に後退した位置にて外郭を構成する縦壁を有し、前記縦壁には、前記縦壁に形成されたスリットによって前記縦壁の一部を折り曲げ可能な舌片部が設けられたものである。
【発明の効果】
【０００９】
本発明に係る加熱調理器によれば、縦壁には、縦壁に形成されたスリットによって縦壁の一部を折り曲げ可能な舌片部が設けられている。このため、固定装置が必要な場合には、舌片部を折り曲げ、縦壁に開口を形成し、固定装置を後から付け足すことができる。したがって、製品出荷後においても必要に応じて、現地にて特別な工具を用いることなく固定装置を後から付け足すことができる。
また、固定装置を後から付け足さない場合には、舌片部は、折り曲げられず、加熱調理器に虫が侵入したり作業者が作業中に指を入れたりするサイズの開口を縦壁に形成させない。これにより、加熱調理器の衛生面および安全面が向上する。
さらに、舌片部は、縦壁に形成されたスリットによって縦壁の一部を構成している。このため、縦壁に他の部品が必要なく、部品点数が削減でき、コストが抑制できる。
【図面の簡単な説明】
【００１０】
【図１】本発明の実施の形態１に係る加熱調理器の概略構成を示す斜視図である。
【図２】本発明の実施の形態１に係る加熱調理器の縦壁を示す斜視図である。
【図３】本発明の実施の形態１に係る加熱調理器の縦壁に開口を形成した状態を示す斜視図である。
【図４】本発明の実施の形態１に係る加熱調理器の縦壁に開口を形成した状態を示す正面図である。
【図５】本発明の実施の形態１に係る加熱調理器の縦壁に開口を形成した状態を図４のＡ−Ａ断面で示す説明図である。
【図６】本発明の実施の形態１に係る加熱調理器の縦壁に固定装置を取り付けた状態での概略構成を示す斜視図である。
【図７】本発明の実施の形態１に係る加熱調理器の縦壁に固定装置を取り付けた状態を示す斜視図である。
【図８】本発明の実施の形態１に係る加熱調理器の縦壁に固定装置を取り付けた状態を示す正面図である。
【図９】本発明の実施の形態１に係る加熱調理器の縦壁に固定装置を取り付けた状態を図８のＢ−Ｂ断面で示す説明図である。
【図１０】本発明の実施の形態１に係る加熱調理器の縦壁に取り付けられる固定装置を示す分解斜視図である。
【図１１】本発明の実施の形態１に係る加熱調理器の固定装置を用いて固定した状態を示す斜視図である。
【図１２】本発明の実施の形態１に係る加熱調理器の固定装置を用いて固定した状態を示す正面図である。
【図１３】本発明の実施の形態１に係る加熱調理器の固定装置を用いて固定した状態を図１２のＣ−Ｃ断面で示す説明図である。
【図１４】本発明の実施の形態２に係る加熱調理器の縦壁を示す斜視図である。
【発明を実施するための形態】
【００１１】
以下に、本発明に係る加熱調理器の実施の形態について説明する。なお、図面の形態は一例であり、本発明を限定するものではない。また、各図において同一の符号を付したものは、同一のまたはこれに相当するものであり、これは明細書の全文において共通している。さらに、以下の図面では各構成部材の大きさの関係が実際のものとは異なる場合がある。
【００１２】
実施の形態１．
図１は、本発明の実施の形態１に係る加熱調理器１００の概略構成を示す斜視図である。
実施の形態１の加熱調理器１００は、本体１が図示しない流し台などのキッチンキャビネットに形成された据え付け用の開口部に組み込まれた状態で使用される、いわゆるビルトイン型のものである。本体１は、上面を開口した概ね箱状の部材であり、本体１の外郭を形成している。
【００１３】
加熱調理器１００の本体１の上部には、上枠フレーム２が組み付けられている。本体１と上枠フレーム２とが組み合わされて形成される内部空間には、種々の部品が収容される。上枠フレーム２の上面の開口には、鍋などの被加熱調理容器が載置されるトッププレート３が嵌め込まれている。トッププレート３は、本体１の上部に配置されている。本体１がキッチンキャビネットに組み込まれると、キッチンキャビネットの天面に形成された開口から上枠フレーム２およびトッププレート３が露出する。上枠フレーム２およびトッププレート３は、天板ユニット４を構成する。
【００１４】
本体１内には、内部でグリル加熱やコンベクション加熱を行うグリル庫５が設けられている。グリル庫５は、キッチンキャビネットの前面に形成された前面開口から、グリル扉６を露出させる。なお、実施の形態１では、本体１内の左側にグリル庫５を設けた例を示すが、グリル庫５の位置はこれに限定されない。グリル庫５は、たとえば、本体１内の右側あるいは中央に設けることもできる。また、グリル庫５を設けなくてもよい。
【００１５】
トッププレート３は、耐熱性ガラスあるいはセラミックなどの非金属材料で構成されている。トッププレート３には、鍋などの被加熱調理容器が載置される図示しない加熱口が配置されている。トッププレート３の表面あるいは裏面には、加熱口に被加熱調理容器を載置する際の目印となる表示が施されている。
【００１６】
本体１の上部であってトッププレート３の手前側には、ユーザからの加熱調理に関する操作入力を受け付ける第１操作部７が設けられている。
また、本体内のグリル庫５とは反対側である右側には、ユーザからの加熱調理に関する操作入力を受け付ける第２操作部８が設けられている。
【００１７】
トッププレート３の背面側には、排気口カバー９が設けられている。排気口カバー９には、通風可能な開口が形成され、排気の気流がスムースに通過することができる。排気口カバー９が設けられることで、排気口カバー９の下方に設けられた図示しない本体排気口への異物の侵入が抑制されている。本体排気口の下方には、グリル庫５内と連通し、グリル庫５内からの排気を行う図示しないグリル庫ダクトの端部が開口し、グリル庫５からの排気と本体１内の排気とが本体排気口から外部へ排出される。
【００１８】
本体１の内部には、加熱口の下方に、加熱源としての図示しない誘導加熱コイルが設けられている。誘導加熱コイルは、巻線が環状に巻き回されて構成されて被加熱調理容器を誘導加熱により加熱する誘導加熱コイルである。実施の形態１では、誘導加熱コイルが２つ左右に並べて配置され、正面視において重ならない位置に配置されている。
なお、誘導加熱コイルを３つ設けているものや、２つの誘導加熱コイルの他に、ラジエントヒーターなどが後方に設けられているものもある。
【００１９】
本体１は、本体１の前側かつトッププレート３の下方であって後方に後退した位置に、本体１の外郭を構成する縦壁１０を有している。縦壁１０が本体１の前側から後方に後退することで、本体１の前側から凹んで水平方向に延びる凹部空間１１が形成される。凹部空間１１は、縦壁１０と縦壁１０の上方の天板ユニット４の下面１２と縦壁１０の下方のグリル庫５および第２操作部８の上面１３とによって形成される。凹部空間１１は、加熱調理器１００がキッチンキャビネットに組み込まれると、天板ユニット４の下面１２をカウンタートップ４０に支持される領域である。
【００２０】
縦壁１０には、加熱調理器１００の前側を流し台などのキッチンキャビネットのカウンタートップ４０に固定する固定装置３０を取り付けるための取付部２０が形成されている。取付部２０は、縦壁１０における本体１の左右方向の中央部に形成されている。
【００２１】
図２は、本発明の実施の形態１に係る加熱調理器１００の縦壁１０を示す斜視図である。
取付部２０は、舌片部２１と、袋部２２と、位置決め孔２３と、ビス孔２４と、を備えている。
【００２２】
縦壁１０には、縦壁１０に形成された第１スリット２５および第２スリット２６によって縦壁１０の一部を折り曲げ可能な舌片部２１が設けられている。舌片部２１は、矩形形状であり、下側および左右両側を連続した第１スリット２５によって周囲の縦壁１０から切り離されている。舌片部２１は、上側の根元に第２スリット２６が形成され、第２スリット２６の左右両側の２つの接続部２７で根元が周囲の縦壁１０と接続されている。第１スリット２５は、舌片部２１を周囲の縦壁１０から切り離している。第２スリット２６は、舌片部２１を接続部２７である根元で折り曲げ易くしている。
第１スリット２５および第２スリット２６は、虫が侵入したり作業者が作業中に指を入れたりするサイズよりも狭い幅の間隙である。
なお、第１スリット２５および第２スリット２６が本発明のスリットに相当する。
【００２３】
縦壁１０の舌片部２１の左右幅よりも広がって斜上となる位置には、下方に開口した２つの袋部２２が設けられている。袋部２２は、周囲の縦壁１０よりも本体１の前側に突出し、厚みのある板状の後述する軸受け部３２を縦壁１０の前面に貼り付けたときに端部を固定する。袋部２２の直下には、縦壁１０に第３スリット２８を形成し、軸受け部３２が第３スリット２８に本体１の前側から差し込まれ、軸受け部３２の端部が袋部２２に嵌まるように回動できる。
【００２４】
縦壁１０の舌片部２１からビス孔２４よりも遠い左右両側には、位置決め孔２３が形成されている。位置決め孔２３には、袋部２２に端部を固定した軸受け部３２に設けられた位置決め突起３２ｄが差し込まれる。
【００２５】
縦壁１０の舌片部２１の左右両側かつ袋部２２の下方には、ビス孔２４が形成されている。ビス孔２４は、袋部２２に端部を固定しかつ位置決め突起３２ｄを位置決め孔２３に差し込んだ軸受け部３２を縦壁１０にビス３７で固定する。
【００２６】
以上のように、実施の形態１の加熱調理器１００では、固定装置３０を必要な場合にだけ取り付け可能に縦壁１０に取付部２０が設けられている。
【００２７】
以下に、固定装置３０を取り付ける場合に縦壁１０に形成する開口２９について説明する。
図３は、本発明の実施の形態１に係る加熱調理器１００の縦壁１０に開口２９を形成した状態を示す斜視図である。図４は、本発明の実施の形態１に係る加熱調理器１００の縦壁１０に開口２９を形成した状態を示す正面図である。図５は、本発明の実施の形態１に係る加熱調理器１００の縦壁１０に開口２９を形成した状態を図４のＡ−Ａ断面で示す説明図である。
【００２８】
後述する固定装置３０は、操作ネジ３４を緩めて固定金具３１の水平片３１ｂの先端部を上方に移動させるため、操作ネジ３４を縦壁１０の後方に突出させておく必要が生じる。そのため、操作ネジ３４が縦壁１０の後方に突出するような開口２９が必要となる。このように、舌片部２１を折り曲げることで縦壁１０に形成される開口２９は、本体１の前側をキッチンキャビネットのカウンタートップ４０に固定する固定装置３０を、縦壁１０の後方に突出するように取り付けるためのものである。
実施の形態１の加熱調理器１００では、作業者がドライバーなどで縦壁１０に設けられた舌片部２１を本体１の前側から縦壁１０の後方に押圧して折り曲げる。これにより、舌片部２１は、縦壁１０の後方に根元の接続部２７で折れ曲がり、開口２９が形成される。
【００２９】
ここで、開口２９を形成する際、作業者が舌片部２１をドライバーなどで押圧することから、ドライバーなどが縦壁１０の後方に進入する。縦壁１０の後方には、加熱調理器１００の制御基板あるいは誘導加熱コイルなどの種々の精密部品が配置されている。このため、縦壁１０の後方に進入し過ぎたドライバーなどが加熱調理器１００の内部の部品を損傷させるおそれがある。
そこで、図５に示すように、舌片部２１の後方には、本体１の前方から舌片部２１を縦壁１０の後方に折り曲げるドライバーの設定以上の進入を防止するカバー１４が設けられている。カバー１４は、舌片部２１の後方を中心とした縦壁１０の後方を覆う。カバー１４は、折り曲げられた舌片部２１の上方に一端部を有し、この一端部から後方に一定距離水平に延び、その後、下方に傾斜して底板１５に接触する。これにより、縦壁１０の後方に配置されている部品は、カバー１４によって保護されている。よって、縦壁１０の後方に進入し過ぎたドライバーなどが加熱調理器１００の内部の部品を損傷させることを防止できる。
また、舌片部２１の周囲には、ドライバーなどで舌片部２１を折り曲げ易くするために第１スリット２５および第２スリット２６が設けられている。これに対し、カバー１４を備えることにより、冷却風が加熱調理器１００の内部から第１スリット２５および第２スリット２６を通じて漏れ出すことを防止できる。
【００３０】
以下に、縦壁１０に開口２９を形成した後に固定装置３０を取り付けた加熱調理器１００について説明する。
図６は、本発明の実施の形態１に係る加熱調理器１００の縦壁１０に固定装置３０を取り付けた状態での概略構成を示す斜視図である。図７は、本発明の実施の形態１に係る加熱調理器１００の縦壁１０に固定装置３０を取り付けた状態を示す斜視図である。図８は、本発明の実施の形態１に係る加熱調理器１００の縦壁１０に固定装置３０を取り付けた状態を示す正面図である。図９は、本発明の実施の形態１に係る加熱調理器１００の縦壁１０に固定装置３０を取り付けた状態を図８のＢ−Ｂ断面で示す説明図である。図１０は、本発明の実施の形態１に係る加熱調理器１００の縦壁１０に取り付けられる固定装置３０を示す分解斜視図である。
【００３１】
固定装置３０は、固定金具３１と、軸受け部３２と、押圧金具３３と、操作ネジ３４と、円筒部３５と、ナット３６と、を有している。
【００３２】
固定金具３１は、垂直片３１ａおよび垂直片３１ａの下端部を直角に曲げた２つの水平片３１ｂを有した二股のＬ字状に形成されている。固定金具３１は、垂直片３１ａの上部に左右方向に延びる回動軸３１ｃを有する。
【００３３】
軸受け部３２は、固定金具３１を回動自在にするためのものである。軸受け部３２は、固定金具３１の回動軸３１ｃを受ける円弧状部３２ｂを有する２つの垂直片３２ａと、２つの垂直片３２ａを繋ぎ後方に後退した開口内に入り込む部分が設けられた水平片３２ｃと、を有する板状部材である。軸受け部３２は、取付部２０の袋部２２に差し込まれる垂直片３２ａの上端部と、取付部２０の位置決め孔２３に挿入される垂直片３２ａの左右両端部の位置決め突起３２ｄと、を有している。軸受け部３２には、垂直片３２ａに、取付部２０のビス孔２４と共に共締めされる孔部３２ｅが形成されている。また、軸受け部３２には、水平片３２ｃに、操作ネジ３４が螺合して差し込まれるネジ孔部３２ｆが形成されている。
【００３４】
押圧金具３３は、中央部に貫通孔３３ｂが設けられた本体部３３ａおよび本体部３３ａの両側に設けられた腕部３３ｃによりコの字状に形成され、固定金具３１の背面側に配置されて腕部３３ｃが固定金具３１の垂直片３１ａの両側に位置する。
【００３５】
操作ネジ３４は、固定金具３１の垂直片３１ａの間から押圧金具３３の貫通孔３３ｂに挿入されて軸受け部３２のネジ孔部３２ｆに螺合されて押圧金具３３を固定金具３１の垂直片３１ａの背面に当接させると共に押圧金具３３の移動を規制する。操作ネジ３４は、ドライバーなどが差し込まれて回転力を受ける切込みを有する頭部３４ａと、軸受け部３２のネジ孔部３２ｆおよびナット３６に螺合するネジ山が設けられたネジ部３４ｂと、を有している。操作ネジ３４は、頭部３４ａを本体１の前側に位置させ、頭部３４ａに接続されたネジ部３４ｂを縦壁１０の後方まで延ばす。
【００３６】
円筒部３５は、固定金具３１の垂直片３１ａにおける２つの水平片３１ｂの根元の凹部に配置され、操作ネジ３４のネジ部３４ｂを挿通し、操作ネジ３４の頭部３４ａとナット３６との間の距離をかせぐ。
【００３７】
ナット３６は、軸受け部３２と押圧金具３３との間に配置され、操作ネジ３４のネジ部３４ｂと螺合する。
【００３８】
次に、上記のような各部からなる固定装置３０の加熱調理器１００への取付手順の一例について説明する。
まず、円筒部３５および押圧金具３３の貫通孔３３ｂの順に操作ネジ３４を挿通して貫通孔３３ｂ内に円筒部３５を位置させる。次に、操作ネジ３４のネジ部３４ｂにナット３６を螺合して円筒部３５に当接させ、その位置に固定する。
そして、操作ネジ３４のネジ部３４ｂを軸受け部３２のネジ孔部３２ｆに螺合し、ナット３６が軸受け部３２の近傍に達するようにする。
次に、軸受け部３２の垂直片３２ａの上端部を取付部２０の袋部２２に固定するように第３スリット２８に差し込む。ここで、固定金具３１を軸受け部３２の円弧状部３２ｂに回動軸３１ｃが配置されるように組み込む。このとき、押圧金具３３が固定金具３１の背面側に配置されて腕部３３ｃが固定金具３１の垂直片３１ａの両側に位置する。
そして、軸受け部３２の位置決め突起３２ｄを取付部２０の位置決め孔２３に差し込む。その後、ビス３７を軸受け部３２の孔部３２ｅを共締めするようにビス孔２４に螺合する。
これにより、固定金具３１は、軸受け部３２に回動可能に支持される。
【００３９】
加熱調理器１００に固定装置３０を取り付けた状態では、押圧金具３３の本体部３３ａが固定金具３１の水平片３１ｂの背面に当接すると共に、押圧金具３３の腕部３３ｃが固定金具３１の垂直片３１ａの両側に位置する。また、固定金具３１の水平片３１ｂは、凹部空間１１を形成する縦壁１０の下方のグリル庫５および第２操作部８の上面１３に沿って水平に延びる。
【００４０】
以下に、固定装置３０を用いて加熱調理器１００の前側を流し台などのキッチンキャビネットのカウンタートップ４０に固定する場合について説明する。
図１１は、本発明の実施の形態１に係る加熱調理器１００の固定装置３０を用いて固定した状態を示す斜視図である。図１２は、本発明の実施の形態１に係る加熱調理器１００の固定装置３０を用いて固定した状態を示す正面図である。図１３は、本発明の実施の形態１に係る加熱調理器１００の固定装置３０を用いて固定した状態を図１２のＣ−Ｃ断面で示す説明図である。
【００４１】
作業者が固定装置３０を取り付けた加熱調理器１００をキッチンキャビネットの内部に設置する。
次に、作業者は、ドライバーをカウンタートップ４０とグリル庫５および第２操作部８の上面１３との開口部から挿入し、操作ネジ３４を緩める方向に回転させる。これにより、押圧金具３３が前方に移動し、それに伴い固定金具３１が回動軸３１ｃを中心に水平片３１ｂを上方に移動させるように回動する。
そして、作業者が操作ネジ３４を緩める方向に回転させ続けると、固定金具３１の水平片３１ｂの先端部は、カウンタートップ４０の下面４１に当接する。
さらに、作業者が操作ネジ３４を緩めると、固定金具３１の水平片３１ｂの先端部がカウンタートップ４０の下面４１に圧着され、加熱調理器１００の本体１の前側がカウンタートップ４０に強固に固定される。
【００４２】
以上のように、実施の形態１の加熱調理器１００によれば、縦壁１０には、縦壁１０に形成された第１スリット２５および第２スリット２６によって縦壁１０の一部を折り曲げ可能な舌片部２１が設けられている。このため、固定装置３０が必要な場合には、舌片部２１を折り曲げ、縦壁１０に開口２９を形成し、固定装置３０を後から付け足すことができる。したがって、製品出荷後においても必要に応じて、現地にて特別な工具を用いることなく固定装置３０を後から付け足すことができる。
また、固定装置３０を後から付け足さない場合には、舌片部２１は、折り曲げられず、加熱調理器１００に虫が侵入したり作業者が作業中に指を入れたりするサイズの開口２９を縦壁１０に形成させない。これにより、加熱調理器１００の衛生面および安全面が向上する。
さらに、舌片部２１は、縦壁１０に形成された第１スリット２５および第２スリット２６によって縦壁１０の一部を構成している。このため、縦壁１０に他の部品が必要なく、部品点数が削減でき、コストが抑制できる。
【００４３】
実施の形態２．
図１４は、本発明の実施の形態２に係る加熱調理器１００の縦壁１０を示す斜視図である。
図１４を用いて、実施の形態２を説明する。以下では、実施の形態１と異なる部分を中心に説明する。
取付部２０は、舌片部２１と、袋部２２と、位置決め孔２３と、ビス孔２４と、を備えている。
【００４４】
縦壁１０には、縦壁１０に形成された第１スリット２５および第２スリット２６によって縦壁１０の一部を折り曲げ可能な舌片部２１が設けられている。舌片部２１は、左右対称に設けられる２つの矩形形状であり、上下両側および左右方向中央に延びる連続したＨ字状の第１スリット２５によって周囲の縦壁１０から切り離されている。舌片部２１は、左右両側の根元に第２スリット２６が形成され、第２スリット２６の上下両側の２つの接続部２７で根元が周囲の縦壁１０と接続されている。第１スリット２５は、舌片部２１を周囲の縦壁１０から切り離している。第２スリット２６は、舌片部２１を接続部２７である根元で折り曲げ易くしている。
すなわち、舌片部２１は、折り曲げ領域の中心から左右の外側に折り曲げ可能に２つ設けられている。
【００４５】
２つの舌片部２１における折り曲げ領域の中心には、本体１の前側から舌片部２１を縦壁１０の後方に折り曲げるドライバーなどを位置決めする位置決め部５０が形成されている。
位置決め部５０は、第１スリット２５における空間領域を広げた孔部で形成されている。
【００４６】
実施の形態２の加熱調理器１００では、２つの舌片部２１における折り曲げ領域の中心には、本体１の前側から舌片部２１を縦壁１０の後方に折り曲げるドライバーなどの押圧部を位置決めする位置決め部５０が形成されている。このため、舌片部２１を縦壁１０の後方に折り曲げる際にドライバーなどの押圧部を位置決めすることができる。よって、ドライバーなどは、位置ずれせずに押し易い。したがって、舌片部２１が縦壁１０の後方に折り曲げ易くなる。
【００４７】
以上の実施の形態１、２によれば、加熱調理器１００は、本体１を備えている。本体１の上部に配置されて被加熱調理容器が載置されるトッププレート３を備えている。本体１は、本体１の前側かつトッププレート３の下方であって後方に後退した位置にて外郭を構成する縦壁１０を有している。縦壁１０には、縦壁１０に形成された第１スリット２５および第２スリット２６によって縦壁１０の一部を折り曲げ可能な舌片部２１が設けられている。
この構成によれば、縦壁１０には、縦壁１０に形成された第１スリット２５および第２スリット２６によって縦壁１０の一部を折り曲げ可能な舌片部２１が設けられている。このため、固定装置３０が必要な場合には、舌片部２１を折り曲げ、縦壁１０に開口２９を形成し、固定装置３０を後から付け足すことができる。したがって、製品出荷後においても必要に応じて、現地にて特別な工具を用いることなく固定装置３０を後から付け足すことができる。
また、固定装置３０を後から付け足さない場合には、舌片部２１は、折り曲げられず、加熱調理器１００に虫が侵入したり作業者が作業中に指を入れたりするサイズの開口２９を縦壁１０に形成させない。これにより、加熱調理器１００の衛生面および安全面が向上する。
さらに、舌片部２１は、縦壁１０に形成された第１スリット２５および第２スリット２６によって縦壁１０の一部を構成している。このため、縦壁１０に他の部品が必要なく、部品点数が削減でき、コストが抑制できる。
【００４８】
舌片部２１を折り曲げることで縦壁１０に形成される開口２９は、本体１の前側をキッチンキャビネットのカウンタートップ４０に固定する固定装置３０を、縦壁１０の後方に突出するように取り付けるためのものである。
この構成によれば、固定装置３０が必要な場合には、舌片部２１を折り曲げ、縦壁１０に開口２９を形成し、縦壁１０の後方に突出する固定装置３０を後から付け足すことができる。
【００４９】
固定装置３０は、垂直片３１ａおよび垂直片３１ａの下端部を直角に曲げた水平片３１ｂを含む固定金具３１と、固定金具３１を回動自在にするための軸受け部３２と、中央部に貫通孔３３ｂが設けられた本体部３３ａおよび本体部３３ａの両側に設けられた腕部３３ｃを含み固定金具３１の背面側に配置されて腕部３３ｃが垂直片３１ａの両側に位置する押圧金具３３と、固定金具３１の垂直片３１ａの間から押圧金具３３の貫通孔３３ｂに挿入されて軸受け部３２のネジ孔部３２ｆに螺合されて押圧金具３３を固定金具３１の垂直片３１ａの背面に当接させると共に押圧金具３３の移動を規制する操作ネジ３４と、を有している。
この構成によれば、この構成の固定装置３０を後から付け足すことができる。
【００５０】
舌片部２１の後方には、本体１の前方から舌片部２１を縦壁１０の後方に折り曲げるドライバーなどの設定以上の進入を防止するカバー１４が設けられている。
この構成によれば、縦壁１０の後方に進入し過ぎたドライバーなどが加熱調理器１００の内部の部品を損傷させることを防止できる。
また、舌片部２１の周囲には、ドライバーなどで舌片部２１を折り曲げ易くするために第１スリット２５および第２スリット２６が設けられている。これに対し、カバー１４を備えることにより、冷却風が加熱調理器１００の内部から第１スリット２５および第２スリット２６を通じて漏れ出すことを防止できる。
【００５１】
舌片部２１は、折り曲げ領域の中心から外側に折り曲げ可能に２つ設けられている。２つの舌片部２１における折り曲げ領域の中心には、本体１の前側から舌片部２１を縦壁１０の後方に折り曲げるドライバーなどの押圧部を位置決めする位置決め部５０が形成されている。
この構成によれば、２つの舌片部２１における折り曲げ領域の中心には、本体１の前側から舌片部２１を縦壁１０の後方に折り曲げるドライバーなどの押圧部を位置決めする位置決め部５０が形成されている。このため、舌片部２１を縦壁１０の後方に折り曲げる際に、ドライバーなどの押圧部を位置決めすることができる。よって、ドライバーなどは、位置ずれせずに押し易い。したがって、舌片部２１が縦壁１０の後方に折り曲げ易くなる。
【００５２】
なお、上記の実施の形態の構成を適宜組み合わせることも当初から予定している。また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００５３】
固定装置は、上記の実施の形態の構成のものに限られない。本体の前側をキッチンキャビネットのカウンタートップに固定する固定装置は、舌片部を折り曲げることで縦壁に形成される開口から縦壁の後方に突出するように取り付けられるものでよい。
また、舌片部は、折り曲げ領域の中心から外側に折り曲げ可能に複数設けられるものでよい。
さらに、複数の舌片部における折り曲げ領域の中心には、本体の前側から舌片部を縦壁の後方に折り曲げるドライバーなどの押圧部を位置決めする位置決め部が形成されてもよい。ここで、位置決め部は、ドライバーなどの先端部の押圧部を位置決めできれば、たとえば、孔形状、凹部形状または切込み形状などであってもよい。
【符号の説明】
【００５４】
１  本体、２  上枠フレーム、３  トッププレート、４  天板ユニット、５  グリル庫、６  グリル扉、７  第１操作部、８  第２操作部、９  排気口カバー、１０  縦壁、１１  凹部空間、１２  下面、１３  上面、１４  カバー、１５  底板、２０  取付部、２１  舌片部、２２  袋部、２３  位置決め孔、２４  ビス孔、２５  第１スリット、２６  第２スリット、２７  接続部、２８  第３スリット、２９  開口、３０  固定装置、３１  固定金具、３１ａ  垂直片、３１ｂ  水平片、３１ｃ  回動軸、３２  軸受け部、３２ａ  垂直片、３２ｂ  円弧状部、３２ｃ  水平片、３２ｄ  位置決め突起、３２ｅ  孔部、３２ｆ  ネジ孔部、３３  押圧金具、３３ａ  本体部、３３ｂ  貫通孔、３３ｃ  腕部、３４  操作ネジ、３４ａ  頭部、３４ｂ  ネジ部、３５  円筒部、３６  ナット、３７  ビス、４０  カウンタートップ、４１  下面、５０  位置決め部、１００  加熱調理器。
【図１】
0006521885.tif 000002
【図２】
0006521885.tif 000003
【図３】
0006521885.tif 000004
【図４】
0006521885.tif 000005
【図５】
0006521885.tif 000006
【図６】
0006521885.tif 000007
【図７】
0006521885.tif 000008
【図８】
0006521885.tif 000009
【図９】
0006521885.tif 000010
【図１０】
0006521885.tif 000011
【図１１】
0006521885.tif 000012
【図１２】
0006521885.tif 000013
【図１３】
0006521885.tif 000014
【図１４】
0006521885.tif 000015